(57)【要約】【課題】  測定データを自動的に収集し、データ収集設備の低減ならびにユーザの負担軽減をはかる。【解決手段】  測定装置が測定データをＩＣタグ２に無線送信し、当該測定データを受信したＩＣタグ２がそのデータを記憶し、定期的に、もしくは、ゲートからの起動信号の受信を契機にＩＣタグリーダ３に対して無線送信する。ユーザは、有線による接続操作なく、ネットワーク上の測定データ収集サーバ４において測定データを収集する。【選択図】      図１
2006127162.tif 000002
【特許請求の範囲】
【請求項１】
測定データを移動自在のＩＣタグに無線送信する測定装置と、
前記測定データを受信して記憶し、当該記憶された測定データをＩＣタグリーダに対して定期的に無線送信する前記ＩＣタグと、
前記ＩＣタグによって送信される測定データを受信するネットワークに接続された前記ＩＣタグリーダと、
を具備することを特徴とする測定データ収集システム。
【請求項２】
測定データを移動自在のＩＣタグに無線送信する測定装置と、
前記ＩＣタグに対して不定期に起動信号を生成出力するゲートと、
前記測定装置から前記測定データを受信して記憶し、当該記憶された測定データを前記ゲートからの起動信号の受信を契機にＩＣタグリーダに対して無線送信する前記ＩＣタグと、
前記ＩＣタグによって送信される測定データを受信するネットワークに接続された前記ＩＣタグリーダと、
を具備することを特徴とする測定データ収集システム。
【請求項３】
前記ゲートは、移動する前記ＩＣタグの存在を検知したときに前記起動信号を所定の期間出力することを特徴とする請求項１または２に記載の測定データ収集システム。
【請求項４】
測定装置と、移動自在のＩＣタグと、ネットワークに接続されたＩＣタグリーダとから成り、前記測定装置により測定された測定データを、前記ＩＣタグを介して収集する測定データ収集方法であって、
前記測定装置が前記測定データを無線送信するステップと、
前記ＩＣタグが前記測定装置から前記測定データを受信して記憶し、当該記憶された測定データを定期的に無線送信するステップと、
前記ＩＣタグリーダが、前記ＩＣタグによって送信される測定データを受信するステップと、
を有することを特徴とする測定データ収集方法。
【請求項５】
測定装置と、移動自在のＩＣタグと、前記ＩＣタグに対して不定期に起動信号を生成出力するゲートと、ネットワークに接続されたＩＣタグリーダとから成り、前記測定装置により測定された測定データを、前記ＩＣタグを介して収集する測定データ収集方法であって、
前記測定装置が測定データを前記ＩＣタグに無線送信するステップと、
前記ＩＣタグが前記測定装置から前記測定データを受信して記憶し、当該記憶された測定データを前記ゲートからの起動信号の受信を契機にＩＣタグリーダに対して無線送信するステップと、
前記ＩＣタグリーダが前記ＩＣタグによって送信される測定データを受信するステップと、
を有することを特徴とする測定データ収集方法。
【発明の詳細な説明】
【技術分野】
【０００１】
本発明は、測定データをネットワークに接続されたサーバに自動的に取込む用途に用いて好適な、測定データ収集システムおよびその方法に関する。
【背景技術】
【０００２】
従来よりトレーニングマシンなどにおけるトレーニング結果の情報を取得するシステムが存在する（例えば、特許文献１参照）。このシステムでは、まずＴＧＳキー（ＩＣチップ内蔵の携帯型メモリキー）を利用し、フィットネスクラブの各トレーニングマシンでメンバー毎のトレーニング情報を記録する。ＴＧＳキーはＵＳＢ（Universal Serial Bus）インターフェースをもち、ユーザがトレーニングする際にトレーニングマシンに差込む。そして、ＵＳＢインターフェースを介して個人認証を行い、回数や負荷などのトレーニング情報を記録する。また、このＴＧＳキーをメンバー用端末に差込み、ＵＳＢインターフェースを介してトレーニング情報をアップロードする。
【０００３】
このようにＴＧＳキーを利用すると、各トレーニングマシンの情報をネットワーク側の端末にアップロードし、トレーニング情報を収集することができる。このシステムではトレーニングマシン間をＬＡＮ（Local Area Network）で接続する必要がないため、導入工事が簡易で、トレーニングマシンの配置の変更も容易である。
【非特許文献１】“WELLNESS SYSTEM,SOLUTION FOR WORKOUT MANAGEMENT”、テクノジム・ジャパン株式会社、「online」、「平成１６年１０月２０日検索」、インターネット＜ＵＲＬ：http://www.technogym.co.jp/_vti_g32_plWshowthe.asp?rpstry=11468_＞
【発明の開示】
【発明が解決しようとする課題】
【０００４】
上記したシステムによれば、ユーザは各トレーニングマシンにＴＧＳキーを差込まなくてはならず、さらにネットワーク側の端末にアップロードする場合もメンバー端末が設置されている場所まで出向きアップロードのための操作を行わなくてはならない。このため、アップロード用のメンバー端末が必要になるとともに、ユーザにＴＧＳキーを差込むという操作上の負担を伴う。
【０００５】
本発明は上記事情に鑑みてなされたものであり、測定データをＩＣタグに記憶し、定期的にネットワークに接続されたＩＣタグリーダで受信することで測定データを自動的に収集し、このことにより、測定データ収集設備の低減、ならびにユーザの負担軽減をはかった、測定データ収集システムおよびその方法を提供することを目的とする。
【課題を解決するための手段】
【０００６】
上記した課題を解決するために本発明の測定データ収集システムは、測定データを移動自在のＩＣタグに無線送信する測定装置と、前記測定データを受信して記憶し、当該記憶された測定データをＩＣタグリーダに対して定期的に無線送信する前記ＩＣタグと、前記ＩＣタグによって送信される測定データを受信するネットワークに接続された前記ＩＣタグリーダと、を具備することを特徴とする。
【０００７】
また、本発明の測定データ収集システムは、測定データを移動自在のＩＣタグに無線送信する測定装置と、前記ＩＣタグに対して不定期に起動信号を生成出力するゲートと、前記測定装置から前記測定データを受信して記憶し、当該記憶された測定データを前記ゲートからの起動信号の受信を契機にＩＣタグリーダに対して無線送信する前記ＩＣタグと、前記ＩＣタグによって送信される測定データを受信するネットワークに接続された前記ＩＣタグリーダと、を具備することを特徴とする。
【０００８】
また、本発明において、前記ゲートは、移動する前記ＩＣタグの存在を検知したときに前記起動信号を所定の期間出力することを特徴とする。
【０００９】
また、本発明は、測定装置と、移動自在のＩＣタグと、ネットワークに接続されたＩＣタグリーダとから成り、前記測定装置により測定された測定データを、前記ＩＣタグを介して収集する測定データ収集方法であって、前記測定装置が前記測定データを無線送信するステップと、前記ＩＣタグが前記測定装置から前記測定データを受信して記憶し、当該記憶された測定データを定期的に無線送信するステップと、
前記ＩＣタグリーダが、前記ＩＣタグによって送信される測定データを受信するステップと、を有することを特徴とする。
【００１０】
また、本発明は、測定装置と、移動自在のＩＣタグと、前記ＩＣタグに対して不定期に起動信号を生成出力するゲートと、ネットワークに接続されたＩＣタグリーダとから成り、前記測定装置により測定された測定データを、前記ＩＣタグを介して収集する測定データ収集方法であって、前記測定装置が測定データを前記ＩＣタグに無線送信するステップと、前記ＩＣタグが前記測定装置から前記測定データを受信して記憶し、当該記憶された測定データを前記ゲートからの起動信号の受信を契機にＩＣタグリーダに対して無線送信するステップと、前記ＩＣタグリーダが前記ＩＣタグによって送信される測定データを受信するステップと、
を有することを特徴とする。
【発明の効果】
【００１１】
本発明によれば、測定装置が測定データを無線送信し、移動自在のＩＣタグが測定データを受信して記憶し、当該記憶された測定データをネットワークに接続されたＩＣタグリーダに定期的に無線送信することで、ＩＣタグリーダが設置されていない場所にある測定器で測定したデータの収集が可能になる。このことにより、ユーザは有線による接続操作なく、ネットワーク上の収集サーバで測定装置の測定データを収集することができる。また、測定装置の近くにＩＣタグリーダがなくても、ＩＣタグがＩＣタグリーダに近づいたときにＩＣタグに記憶された測定データを自動的にアップロードすることができるため、ＩＣタグリーダを密に配置する必要がない。
【００１２】
また、本発明によれば、測定装置が測定データをの測定データを無線送信し、移動自在のＩＣタグが測定データを受信して記憶し、当該記憶された測定データをゲートからの起動信号の受信を契機にＩＣタグリーダに対して無線送信することで、ＩＣタグはＩＣタグリーダに接近した場合にのみ記憶した測定データを無線送信すればよいため、ＩＣタグの消費電力を低減でき、電波の有効利用ができるとともに、不要なところで無線送信しないため、第三者に記憶内容を盗み見られる頻度を減らすことができる。
更に、本発明によれば、ゲートが移動するＩＣタグの存在を検知したときに起動信号を所定の期間出力することで、ゲートはＩＣタグを携帯したユーザが通過するときのみ無線信号を送信するため、ゲートの消費電力を低減できるとともに、無線信号送信に伴う他の機器への影響、人体への影響を最小限にすることができる。
【発明を実施するための最良の形態】
【００１３】
図１は、本発明実施形態に係わる測定データ収集システムのシステム構成の一例を示す図である。
図１にはまず、ＩＣタグ２と有線で通信し、ＩＣタグ２と一体化され実装されている一体型センサ２３と、ＩＣタグ２と無線(ＲＦ（高周波）信号またはＬＦ（磁気コイルを用いた低周波）信号）で通信を行う分離型センサ１０が例示されている。
【００１４】
ＩＣタグ２は、一体型センサ２３から有線で測定データを取得し、ＩＣタグ２内のメモリ２２に蓄積する。また、分離型センサ１０は、ＲＦ信号またはＬＦ信号を用いてＩＣタグ２に測定データを送信する機能を備えており、この機能を用いて分離型センサ１０から測定データをＩＣタグ２ヘ送り、ＩＣタグ２内のメモリ２２に測定データが蓄積される。
このため、分離型センサ１０は、磁気コイルからなるＬＦ信号送信部、またはＲＦ信号送信部１００を備え、また、ＩＣタグ２は、ＬＦ信号受信部もしくはＲＦ信号受信部２１を内蔵する。ここでは一体型センサ２３として心拍計、分離型センサ１０としてランニングマシンを想定して説明し、一体型センサ２３と分離型センサ１０の総称を測定装置とする。
【００１５】
一体型センサ２３は、心拍値を定期的に送信してＩＣタグ２内のメモリ２２に蓄積する。分離型センサ１０は、ランニング終了時にＩＣタグ２に向けて、ＲＦまたはＬＦ信号を用いて送信し、それを受信したＩＣタグ２は、それをメモリ２２に蓄積する。
【００１６】
ところで、ＩＣタグ２が複数存在する場合、ランニングマシンを利用しているユーザは、所持するＩＣタグ２を特定する必要がある。ここでは、ＬＦ信号の場合、到達距離が限定されているため、ＩＣタグ２と分離型センサ１０を近づけることにより、所望のＩＣダダ２に測定データを送信することができる。
また、ＲＦ信号の場合は、予め分離型センサ１０にＩＣタグ２のＩＤ(タグＩＤ)を登録しておき、ＲＦ信号にタグＩＤを含めることで上記の対応が可能である。すなわち、ＩＣタグ２はＲＦ信号内のタグＩＤを読み取り、これが白身のタグＩＤであるか否かを判断し自身のタグＩＤであればこれを受信する。
【００１７】
なお、ＬＦ信号、あるいはＲＦ信号で受信した測定データは、ＩＣタグ２中のメモリ２２に蓄積されるが、このとき、測定時間のタイムスタンプとともに格納される。タイムスタンプは、ＩＣタグ２内の時計（図示せず）か、分離型センサ１０内の時計に基づき発行される。
また、ＩＣタグ２におけるメモリ２２の測定データの蓄積領域には限りがあるため、タイムスタンプをチェックして古い測定データから順次削除し、新たな測定データを蓄積するスペースを作るものとする。
【００１８】
ＩＣタグ２は人が持ち運び、あるいは移動可能な物(掃除機、車)などに取り付けられ、場所を移動する。また、ＩＣタグリーダ３は、多くのＩＣタグ２（人あるいは物）が集まるところに設置しておく。そして、ＩＣタグ２は定期的にメモリ２２内の測定情報を無線送信し、ＩＣタグリーダ３が送信されたメモリ情報を受信し、その情報をネットワーク経由で測定データ収集サーバ４に送信するものとする。ＩＣタグリーダ３は、同じ測定データを複数受信する可能性があるため、測定データ収集サーバ４は、重複データを取り除いて保存する。
【００１９】
図２は、本発明の他の実施形態に係わる測定データ収集システムのシステム構成の一例を示す図である。
ここでは、図１に示した実施形態に、更に、ＩＣタグ２からＩＣタグリーダ３に向けて無線送信するタイミングを、ゲート５を利用することによって制御する点が付加されている。図３に動作シーケンスが、図４（ａ）にその際のＩＣタグ２の状態遷移が示されている。
【００２０】
図３において、ゲート５を通過するＩＣタグ２は、ゲート５によって生成されるＬＦ信号（Ｓ３２：起動信号）をトリガー（契機）に、ＩＣタグ２に内蔵のメモリ２２に記憶された測定データを無線で送信する（Ｓ３３：測定データ）。このため、ゲート５には、磁気コイルからなるＬＦ送信部５０が備わっている。また、近傍に人感センサ５１が設置されており、この人感センサ５１については後述する。
また、ＩＣタグ２は、ＩＣタグ２を携帯したユーザがゲート５を通るときにＬＦ信号を受信すると内蔵のメモリ２２の情報をＩＣタグリーダ３に対して一回または複数回、無線送信する。なお、ＩＣタグ２には、事前に測定装置から測定データが送信され、ＩＣタグ２のメモリ２２にその測定データが記憶されてあるものとする（Ｓ３１：測定データ）。
【００２１】
図４（ａ）に示されるように、ＩＣタグを携帯したユーザがゲート５を通るときに、ＩＣタグ２はＬＦ信号を受信し、無線送信をしないスリーブモードからアクティブモードに変化する（Ｓ４１）。アクティブモードではＩＣタグ２のメモリ２２に記憶された情報を一回または複数回無線送信して、スリープモードに遷移する（Ｓ４２）。
また、ゲート５近傍に人感センサ５１が設置されており、ユーザがゲート５を通過する直前に人を感知することで、この人感センサ５１が反応した場合にのみ、ゲート５からＬＦ信号を一定時間送信するようにしても良い。図４（ｂ）にこの際のゲートの状態遷移が示されている。すなわち、人感センサ５１の信号を受信したときにスリープモードからアクティブモードになり（Ｓ４５）、ＬＦ信号を一定時間送信するとスリーブモードに戻る（Ｓ４６）。
【００２２】
以上説明のように本発明は、分離センサ１０が測定データをＩＣタグ２に無線送信し、当該測定データを受信したＩＣタグ２がそのデータを記憶し、定期的に、もしくはゲート５からの起動信号の受信を契機にＩＣタグリーダ３に対して無線送信するものであり、このことにより、ユーザは、有線による接続操作なく、ネットワーク上の測定データ収集サーバ４において測定データを収集することができるものである。また、分離センサ１０の近くにＩＣタグリーダ３がなくても、ＩＣタグ２がＩＣタグリーダ２に接近したときにＩＣタグ２に記憶された測定データを自動的にアップロードすることができるため、ＩＣダダリーグ３を密に配置する必要がない。
【００２３】
更に、ＬＦ信号を送信するゲート５を用いることで、ＩＣタグ２がＩＣタグリーダ３に接近したときのみ、ＩＣタグ２は無線送信すればよいため、ＩＣタグ２の消費電力を低減でき、電波の有効利用ができる。また、不要なところで無線送信せずに済むため、第三者に盗み見られる可能性を減らすことができる。また、人態センサ５１によりゲート５を制御することにより、ＩＣタグ２を持ったユーザが通過するときのみＬＦ信号を送信することになり、このため、ゲート５の消費電力を低減できるとともに、ＬＦ信号送信に伴う他の機器への影響、人体への影響を最小限にすることができる。
【図面の簡単な説明】
【００２４】
【図１】本発明実施形態に係わる測定データ収集システムのシステム構成の一例を示す図である。
【図２】本発明の他の実施形態に係わる測定データ収集システムのシステム構成の一例を示す図である。
【図３】図２に示す実施形態の動作シーケンスを示す図である。
【図４】図２に示す実施形態におけるＩＣタグの状態遷移を示す図である。
【符号の説明】
【００２５】
２…ＩＣタグ、３…ＩＣタグリーダ、４…測定データ収集サーバ、５…ゲート、１０…分離型センサ、２３…一体型センサ、５０…ＬＦ送信部、５１…人感センサ
【図１】
2006127162.tif 000003
【図２】
2006127162.tif 000004
【図３】
2006127162.tif 000005
【図４】
2006127162.tif 000006